(57)【要約】【課題】  安価で利便性の高い経路検索システムを提供する。【解決手段】  携帯端末１２は、利用者によって入力された出発地および目的地に関する情報を含む検索要求を、ネットワーク１３、１４を介してデータ処理装置１１に送る。データ処理装置１１は、ネットワーク１３、１４を介して受信した検索要求に含まれる情報から定まる出発地および目的地を元に、出発地から目的地までの経路に関する情報を求め、検索結果として返送する。携帯端末１２は、データ処理装置１１からネットワーク１３、１４を介して返送された検索結果を表示する。【選択図】      図１
2005049313.tif 000002
【特許請求の範囲】
【請求項１】
出発地から目的地までの経路を検索する経路検索システムであって、
ネットワークを介して受信した検索要求に含まれる情報から定まる出発地および目的地を元に、該出発地から該目的地までの経路に関する情報を求めて検索結果として返送するデータ処理装置と、
利用者によって入力された出発地および目的地に関する情報を含む前記検索要求を、ネットワークを介して前記データ処理装置に送り、該データ処理装置から該ネットワークを介して返送された前記検索結果を表示する携帯端末とを有する経路検索システム。
【請求項２】
前記携帯端末は、前記利用者によって入力された移動手段に関する情報を前記検索要求に含めて前記データ処理装置に送り、
前記データ処理装置は、前記出発地から前記目的地まで前記移動手段で移動するための経路に関する情報を求める、請求項１に記載の経路検索システム。
【請求項３】
前記携帯端末は、前記利用者によって入力された経由地に関する情報を前記検索要求に含めて前記データ処理装置に送り、
前記データ処理装置は、前記出発地から前記経由地を経由して前記目的地に移動するための経路に関する情報を求める、請求項１または２に記載の経路検索システム。
【請求項４】
前記目的地に関する情報には目的地域およびジャンルが含まれ、
前記データ処理装置は、前記目的地域内にあり前記ジャンルに属する場所を前記目的地と定める、請求項１〜３のいずれか１項に記載の経路検索システム。
【請求項５】
前記経路に関する情報は、地図データと、該地図データで示される地図上の経路の情報とを含む、請求項１〜４のいずれか１項に記載の経路検索システム。
【請求項６】
前記経路に関する情報は、所要時間または距離の少なくとも一方をさらに含む、請求項５記載の経路検索システム。
【請求項７】
出発地から目的地までの経路を検索する経路検索装置であって、
携帯端末からの検索要求に含まれる情報から定まる出発地および目的地を元に、該出発地から該目的地までの経路に関する情報を求める処理手段と、
利用者によって入力された出発地および目的地に関する情報を含む前記検索要求を前記携帯端末から前記ネットワークを介して受信して前記処理手段に送り、該処理手段で求められた情報を含む検索結果を前記ネットワークを介して前記携帯端末に返送する通信手段とを有する経路検索装置。
【請求項８】
前記検索要求は、前記利用者によって入力された移動手段に関する情報を含み、
前記処理手段は、前記出発地から前記目的地まで前記移動手段で移動するための経路に関する情報を求める、請求項７に記載の経路検索装置。
【請求項９】
前記検索結果は、前記利用者によって入力された経由地に関する情報を含み、
前記処理手段は、前記出発地から前記経由地を経由して前記目的地に移動するための経路に関する情報を求める、請求項７または８に記載の経路検索装置。
【請求項１０】
前記目的地に関する情報には目的地域およびジャンルが含まれ、
前記データ処理装置は、前記目的地域内にあり前記ジャンルに属する場所を前記目的地と定める、請求項７〜９のいずれか１項に記載の経路検索装置。
【請求項１１】
前記経路に関する情報は、地図データと、該地図データで示される地図上の経路の情報とを含む、請求項７〜１０のいずれか１項に記載の経路検索装置。
【請求項１２】
前記経路に関する情報は、所要時間または距離の少なくとも一方をさらに含む、請求項１１記載の経路検索装置。
【請求項１３】
出発地から目的地までの経路を検索するための経路検索システムであって、
携帯端末において、利用者によって入力された出発地および目的地に関する情報を含む検索要求を、ネットワークを介して前記データ処理装置に送るステップと、
データ処理装置において、前記ネットワークを介して受信した前記検索要求に含まれる情報から定まる出発地および目的地を元に、該出発地から該目的地までの経路に関する情報を求めて検索結果として前記携帯端末に返送するステップと、
前記携帯端末において、前記データ処理装置から前記ネットワークを介して返送された前記検索結果を表示するステップとを有する経路検索方法。
【請求項１４】
前記携帯端末において、前記利用者によって入力された移動手段に関する情報を前記検索要求に含めて前記データ処理装置に送り、
前記データ処理装置において、前記出発地から前記目的地まで前記移動手段で移動するための経路に関する情報を求める、請求項１３に記載の経路検索方法。
【請求項１５】
前記携帯端末において、前記利用者によって入力された経由地に関する情報を前記検索要求に含めて前記データ処理装置に送り、
前記データ処理装置において、前記出発地から前記経由地を経由して前記目的地に移動するための経路に関する情報を求める、請求項１３または１４に記載の経路検索方法。
【請求項１６】
前記目的地に関する情報には目的地域およびジャンルが含まれ、
前記データ処理装置において、前記目的地域内にあり前記ジャンルに属する場所を前記目的地と定める、請求項１３〜１５のいずれか１項に記載の経路検索方法。
【請求項１７】
前記経路に関する情報は、地図データと、該地図データで示される地図上の経路の情報とを含む、請求項１３〜１６のいずれか１項に記載の経路検索方法。
【請求項１８】
前記経路に関する情報は、所要時間または距離の少なくとも一方をさらに含む、請求項１７記載の経路検索装置。
【発明の詳細な説明】
【技術分野】
【０００１】
本発明は、出発地から目的地までの経路を検索するシステムに関する。
【背景技術】
【０００２】
一般に、自動車で目的地に行こうとするとき、カーナビゲーションシステムで現在地から目的地までの経路を検索することができる。また、現在地から目的地までの距離や所要時間などを知ることもできた。しかし、通常、カーナビゲーションシステムは車載されているので、経路や所要時間を予め知っておきたい場合、情報を取得するために自動車まで出向く必要があった。これに対して従来より携帯端末を利用したシステムが提案されている（例えば、特許文献１、２参照）。
【０００３】
特許文献１には、携帯端末とセンタ局を含むシステムが開示されている。携帯端末は、携帯端末の位置情報、および入力された目的地の情報をセンタ局に送る。センタ局は、携帯端末からの情報を用いて、経路を示す地図データを含む経路指示データを求め、携帯端末に送る。携帯端末は、センタ局からのデータを表示する。
【０００４】
特許文献２には、携帯端末と交通情報センタを含むシステムが開示されている。携帯端末は、ＧＰＳ（Ｇｌｏｂａｌ  Ｐｏｓｉｔｉｏｎｉｎｇ  Ｓｙｓｔｅｍ）で測定した現在位置の位置情報と、入力された経路検索条件とを交通情報センタに送る。交通情報センタは、携帯端末からの情報を用いて地図情報および経路情報を求め、携帯端末に送る。携帯端末は、交通情報センタからの情報を表示する。
【０００５】
これらの従来技術によれば、ユーザは、高価なカーナビゲーションを購入しなくとも、携帯端末を用いて目的地までの経路情報を取得することができるので、安価に、かつ場所を選ばず、経路の情報を取得できる。また、センタ側の地図情報を更新するだけで、全てのユーザが常に最新の地図上の経路を知ることができる。
【特許文献１】特開２００１−２０４０６２号公報
【特許文献２】特開２００２−１８１５６５号公報
【発明の開示】
【発明が解決しようとする課題】
【０００６】
特許文献１，２に記載された従来技術では、ＧＰＳで取得した携帯端末の現在位置を用いて経路を検索するので任意の出発地からの経路を検索することができなかった。
【０００７】
また、従来技術では、目的地に到着するまでに経由する経由地を指定することができなかったので、経由地がある場合には、まず、出発地にいるときに、そこを現在位置として経由地までの経路を検索し、経由地に到着してから、そのを現在位置として目的地までの経路を検索する必要があった。
【０００８】
また、従来技術では、目的地を特定して入力する必要があるので、例えば、一定範囲内のファミリーレストランならどこでもよいというように、名称あるいは住所などにより目的地を特定できない場合には経路の検索が困難であった。このように、携帯端末を用いた従来の経路検索システムは利便性の高いものではなかった。
【０００９】
本発明の目的は、安価で利便性の高い経路検索システムを提供することである。
【課題を解決するための手段】
【００１０】
上記目的を達成するために、本発明の経路検索システムは、出発地から目的地までの経路を検索する経路検索システムであって、
ネットワークを介して受信した検索要求に含まれる情報から定まる出発地および目的地を元に、該出発地から該目的地までの経路に関する情報を求めて検索結果として返送するデータ処理装置と、
利用者によって入力された出発地および目的地に関する情報を含む前記検索要求を、ネットワークを介して前記データ処理装置に送り、該データ処理装置から該ネットワークを介して返送された前記検索結果を表示する携帯端末とを有している。
【００１１】
したがって、本発明の経路検索システムによれば、データ処理装置に記録されているデータを携帯端末から利用し、現在位置に関わらず任意の出発地から目的地までの経路を検索することができる。
【００１２】
また、前記携帯端末は、前記利用者によって入力された移動手段に関する情報を前記検索要求に含めて前記データ処理装置に送り、
前記データ処理装置は、前記出発地から前記目的地まで前記移動手段で移動するための経路に関する情報を求めることとしてもよい。
【００１３】
したがって、現在位置に関わらず任意の出発地から目的地までの経路を移動手段を指定して検索することができる。
【００１４】
また、前記携帯端末は、前記利用者によって入力された経由地に関する情報を前記検索要求に含めて前記データ処理装置に送り、
前記データ処理装置は、前記出発地から前記経由地を経由して前記目的地に移動するための経路に関する情報を求めることとしてもよい。
【００１５】
したがって、任意の出発地から目的地までの経路を、経由地を指定して検索することができる。
【００１６】
また、前記目的地に関する情報には目的地域およびジャンルが含まれ、
前記データ処理装置は、前記目的地域内にあり前記ジャンルに属する場所を前記目的地と定めることとしてもよい。
【００１７】
したがって、任意の出発地から、指定したジャンルに属する目的地域内の目的地までの経路を検索することができる。
【発明の効果】
【００１８】
本発明によれば、データ処理装置に記録されているデータを携帯端末から利用し、現在位置に関わらず任意の出発地から目的地までの経路を検索することができるので利便性が高い。また、現在位置に関わらず任意の出発地から目的地までの経路を移動手段を指定して検索することができるので利便性が高い。また、任意の出発地から目的地までの経路を、経由地を指定して検索することができるので利便性が高い。また、任意の出発地から、指定したジャンルに属する目的地域内の目的地までの経路を検索することができるので利便性が高い。
【発明を実施するための最良の形態】
【００１９】
本発明の一実施形態について図面を参照して詳細に説明する。
【００２０】
図１は、本発明の一実施形態の経路検索システムの構成を示すブロック図である。図１を参照すると、本実施形態の経路検索システムは、データ処理装置１１および携帯端末１２を有している。データ処理装置１１はインターネット１４に接続されている。携帯端末１２は、移動通信網１３に接続されている。また、移動通信網１３とインターネット１４は相互に接続されている。
【００２１】
図２は、図１に示したデータ処理装置の構成を示すブロック図である。データ処理装置１１は通信部２１、処理部２２、および記憶部２３を有している。
【００２２】
通信部２１は、携帯端末１２からの検索要求メッセージを、移動通信網１３およびインターネット１４を経由して受信し、処理部２２に通知する。また、通信部２１は、処理部２２からの検索結果メッセージを、インターネット１４および移動通信網１３を経由して携帯端末１２に送る。
【００２３】
記憶部２３は、地図データを蓄積している。
【００２４】
処理部２２は、通信部２１からの検索要求メッセージを解析し、そこに含まれる情報に従って出発地から目的地までの経路を求め、地図上の経路を示す経路情報と記憶部２３の地図データとを含む検索結果メッセージを通信部２１から携帯端末１２に送る。
【００２５】
図３は、図１に示した携帯端末の構成を示すブロック図である。携帯端末１２は、通信部３１、処理部３２、入力部３３、および表示部３４を有している。
【００２６】
通信部３１は、処理部３２からの検索要求メッセージを、移動通信網１３およびインターネット１４を経由してデータ処理装置１１に送る。また、通信部３１は、データ処理装置１１からの検索結果メッセージを、インターネット１４および移動通信網１３を経由して受信し、処理部３２に通知する。
【００２７】
処理部３２は、入力部３３から入力された情報に基づき、出発地および目的地の情報を含む検索要求メッセージを生成して通信部３１からデータ処理装置１１に送る。また、通信部３１からの検索結果メッセージを解析し、そこに含まれる地図データおよび経路情報を表示部３４に表示する。
【００２８】
入力部３３は、ユーザの操作または音声によって入力された情報を処理部３２に送る。入力される情報には、出発地および目的地の情報が含まれる。
【００２９】
表示部３４は、処理部３２からの地図データおよび経路情報を画面に表示する。
【００３０】
図４は、本実施形態の経路検索システムの動作の一例を説明するための図である。図４を参照して経路検索システムの動作の一例について説明する。
【００３１】
まず、利用者は携帯端末１２の入力部３３から出発地Ａ、目的地Ａ、出発時間Ａおよび移動手段Ａの情報を入力する。移動手段は、例えば、自動車（レンタカーを含む）、電車、バス、航空機、船舶などおよびそれらの組み合わせで指定可能である。入力された情報を含む検索要求メッセージが処理部３２で生成され、データ処理装置１１に送られる。
【００３２】
データ処理装置１１では、処理部２２が、受信した検索結果メッセージを解析し、出発地Ａを出発時刻Ａに出発して移動手段Ａで目的地Ａまで移動する場合の所要時間Ａ、距離Ａ、および経路Ａを求め、検索結果メッセージとして携帯端末１２に返送する。
【００３３】
携帯端末１２は、処理部３２にて、データ処理装置１１から受信した検索結果メッセージを解析し、表示部３４に表示する。
【００３４】
したがって、本実施形態の経路検索システムは、データ処理装置１１に記録されているデータを携帯端末１２から利用し、現在位置に関わらず任意の出発地から目的地までの経路を、移動手段を指定して検索することができるので利便性が高い。
【００３５】
図５は、本実施形態の経路検索システムの動作の他の例を説明するための図である。図５を参照して経路検索システムの動作例について説明する。
【００３６】
まず、利用者は携帯端末１２の入力部３３から出発地Ｂ、経由地Ｂ、目的地Ｂ、出発時刻Ｂおよび移動手段Ｂの情報を入力する。入力された情報を含む検索要求メッセージが処理部３２で生成され、データ処理装置１１に送られる。
【００３７】
データ処理装置１１では、処理部２２が、受信した検索結果メッセージを解析し、出発地Ｂを出発時刻Ｂに出発して移動手段Ｂで経由地Ｂを経由して目的地Ｂまで移動する場合の経由地までの所要時間Ｂ、経由地までの距離Ｂ、経由地までの経路Ｂを、目的地Ｂまでの所要時間、距離および経路と合わせて求め、検索結果メッセージとして携帯端末１２に返送する。
【００３８】
携帯端末１２は、処理部３２にて、データ処理装置１１から受信した検索結果メッセージを解析し、表示部３４に表示する。
【００３９】
したがって、本実施形態の経路検索システムは、データ処理装置１１に記録されているデータを携帯端末１２から利用し、任意の出発地から目的地までの経路を、経由地を指定して検索することができるので利便性が高い。
【００４０】
図６は、本実施形態の経路検索システムの動作のさらに他の例を説明するための図である。図４を参照して経路検索システムの動作例について説明する。
【００４１】
まず、利用者は携帯端末１２の入力部３３から出発地Ｃ、目的地域Ｃ、ジャンルＣおよび移動手段Ｃの情報を入力する。ジャンルは、目的地の属するジャンルであり、例えば、ファミリーレストラン、コンビニエンスストア、ビジネスホテル、自動車修理工場のように、目的地を個別に特定せず、同種の目的地を包括的に指定することができる。入力された情報を含む検索要求メッセージが処理部３２で生成され、データ処理装置１１に送られる。
【００４２】
データ処理装置１１では、処理部２２が、受信した検索結果メッセージを解析し、出発地Ｃを出発して移動手段Ｃで移動し、目的地域Ｃ内でジャンルＣに属する目的地までの所要時間、距離、経路を求め、検索結果メッセージとして携帯端末１２に返送する。このとき、目的地は最短距離あるいは最短時間で到達できる１つを選択して求めてもよく、また条件に合った複数の目的地を求めてもよい。
【００４３】
携帯端末１２は、処理部３２にて、データ処理装置１１から受信した検索結果メッセージを解析し、表示部３４に表示する。
【００４４】
したがって、本実施形態の経路検索システムは、データ処理装置１１に記録されているデータを携帯端末１２から利用し、任意の出発地から、指定したジャンルに属する目的地域内の目的地までの経路を検索することができるので利便性が高い。
【図面の簡単な説明】
【００４５】
【図１】本発明の一実施形態の経路検索システムの構成を示すブロック図である。
【図２】図１に示したデータ処理装置の構成を示すブロック図である。
【図３】図１に示した携帯端末の構成を示すブロック図である。
【図４】本実施形態の経路検索システムの動作の一例を説明するための図である。
【図５】本実施形態の経路検索システムの動作の他の例を説明するための図である。
【図６】本実施形態の経路検索システムの動作のさらに他の例を説明するための図である。
【符号の説明】
【００４６】
１１    データ処理装置
１２    携帯端末
１３    移動通信網
１４    インターネット
２１    通信部
２２    処理部
２３    記憶部
３１    通信部
３２    処理部
３３    入力部
３４    表示部
【図１】
2005049313.tif 000003
【図２】
2005049313.tif 000004
【図３】
2005049313.tif 000005
【図４】
2005049313.tif 000006
【図５】
2005049313.tif 000007
【図６】
2005049313.tif 000008